(57)【要約】【課題】ネットワーク３に接続されて映像を記録する映像録画装置１において、ユーザへの情報通知を効果的に行う。【解決手段】ネットワーク３に接続されて映像を記録する映像録画装置１において、フィードデータ記憶手段１３が外部のフィードリーダ２１により取得されることが可能なフィードのデータを記憶し、イベント検出手段１１が発生した所定のイベントを検出し、フィード管理手段１２がイベント検出手段１１により検出されたイベントに関する情報をフィードのデータとしてフィードデータ記憶手段１３に記憶させる。これにより、ユーザへの情報通知を効果的に行う。【選択図】  図１
2011061658.tif 000002
【特許請求の範囲】
【請求項１】
ネットワークに接続されて映像を記録する映像録画装置において、
外部のフィードリーダにより取得されることが可能なフィードのデータを記憶するフィードデータ記憶手段と、
発生した所定のイベントを検出するイベント検出手段と、
前記イベント検出手段により検出されたイベントに関する情報をフィードのデータとして前記フィードデータ記憶手段に記憶させるフィード管理手段と、
を備えたことを特徴とする映像録画装置。
【発明の詳細な説明】
【技術分野】
【０００１】
本発明は、映像録画装置に関し、特に、ユーザへの情報通知を効果的に行う映像録画装置に関する。
【背景技術】
【０００２】
例えば、ネットワークに接続されたネットワーク映像録画装置は、自己の機能において、電源の投入時やセンサー情報の更新時などのイベントが発生した場合にユーザにその情報を通知する機能を有する。これにより、ネットワークに接続されたネットワーク映像録画装置は、ネットワーク通信によるユーザへの障害等のイベントの情報の通知を行う。
【０００３】
従来では、ＳＮＭＰ（Ｓｉｍｐｌｅ  Ｎｅｔｗｏｒｋ  Ｍａｎａｇｅｍｅｎｔ  Ｐｒｏｔｏｃｏｌ：例えば、ＲＦＣ１０６５、１１５７、１２１３に定義されるＳＮＭＰｖ１や、それ以降のＳＮＭＰｖ２＊、ＳＮＭＰｖ３）を使用したネットワーク通信によるユーザへの通知や、ＳＭＴＰ（Ｓｉｍｐｌｅ  Ｍａｉｌ  Ｔｒａｎｓｆｅｒ  Ｐｒｏｔｏｃｏｌ：例えば、ＲＦＣ５３２１に定義されるもの）を使用した電子メールを使用したネットワーク通信によるユーザへの通知が行われていた。
【０００４】
しかしながら、ＳＮＭＰでは、規定の情報の送信とユーザ定義の情報の送信が可能であるが、ユーザ定義の情報を使用するためには公的な情報の登録が必要になる。また、ユーザによる情報の取得、又は、機器から送信される情報の受信のためには、専用の装置、システム、ソフトウエアなどが必要である。これらを全て用意した上で、更に、機器側での送信情報の設定や送信先、送信名の設定をする必要があり、ユーザ側でも受信するための設定及び受信情報を解析するための設定が必要である。
【０００５】
また、ＳＭＴＰを使用した機器からの電子メールによる情報の送信では、ユーザが使用しているメールのソフトウエア（メールソフト）や携帯端末装置により受信可能であり、インターネットを経由した遠隔地での受信も可能であり、利便性が高い。
但し、ＳＭＴＰでは、インターネット上でのＳＭＴＰの使用には、基本的に有料のサービスを利用する必要があり使用料が発生する。ユーザがＳＭＴＰを用意すれば無料で試用できるが、回線費や維持費などは必要になる。また、電子メールの送信先を機器側に設定する必要があり、複数の機器や複数の送信先を設定する際には手間が掛かる。また、ユーザがメール受信時に見落とした場合には対処が遅れる、などのデメリットが発生する。
【０００６】
以下で、更に具体的に説明する。
図２には、従来技術に係るＳＮＭＰを使用したネットワーク映像録画装置３１の構成例及びユーザ端末装置３２の構成例を示してある。
本例のネットワーク映像録画装置３１は、ＳＮＭＰを使用した情報通知機能を有しており、具体的には、イベント管理装置４１、ＭＩＢ（Ｍａｎａｇｅｍｅｎｔ  Ｉｎｆｏｒｍａｔｉｏｎ  Ｂａｓｅ）４２、ＳＮＭＰエージェント４３、ＳＮＭＰエージェント設定部４４を備えている。
本例のユーザ端末装置３２は、ＳＮＭＰマネージャ５１、ＳＮＭＰマネージャ設定部５２を備えている。
【０００７】
ネットワーク映像録画装置３１内において、電源の投入時やセンサー情報の更新時、スケジュール設定された映像録画機能の開始／停止、映像録画を行うストレージメディアの使用状況（残容量情報）の変化、映像配信装置とのネットワーク通信状況の変化などのイベントが発生すると、イベント管理装置４１は設定に従って発生したイベントに該当するＭＩＢ４２のデータを更新する。
【０００８】
ＳＮＭＰエージェント４３は、ＳＮＭＰエージェント設定部４４の指定により必要であれば、ＭＩＢ４２のデータ更新時にトラップ（Ｔｒａｐ）による情報送信をＳＮＭＰエージェント設定部４４に設定された送信先に対して行う。また、ＳＮＭＰエージェント４３は、ゲット（Ｇｅｔ）の受信時には、Ｇｅｔリクエスト文で指定されたＭＩＢ４２のデータの取得を行って、取得したＭＩＢ４２のデータをＧｅｔ送信元へ返送する。
【０００９】
ユーザ端末装置３２において、ＳＮＭＰマネージャ５１は、ユーザ指示による単発的な、又は、ユーザ指示による定期的なＧｅｔ送信により、ネットワーク映像録画装置３１からの情報の取得を行う。また、ＳＮＭＰマネージャ５１は、ネットワーク映像録画装置３１から送信されるＴｒａｐによる情報の受信も行う。
【００１０】
ＳＮＭＰマネージャ５１は、受信したネットワーク映像録画装置３１からの情報をＳＮＭＰマネージャ設定部５２の内容を元にユーザに表示する。このとき、ＳＮＭＰで使用されるＭＩＢ４２のデータはオブジェクト識別子（ＯＩＤ）と呼ばれるドット（．）区切りの数字の羅列により定義されているため、ＳＮＭＰマネージャ設定部５２にＯＩＤの定義を設定して、ＯＩＤをユーザが分かり易い形式へ変換して表示する必要がある。
【００１１】
このようなＳＮＭＰのシステムでは、問題として、例えば、ＳＮＭＰによるネットワーク映像録画装置３１からユーザへの情報通知を行うために、ＭＩＢのＯＩＤの定義、ネットワーク映像録画装置３１のＳＮＭＰエージェント４３のＴｒａｐ送信先、コミュニティ名、送信対象のＭＩＢなどの設定、ユーザ端末装置３２についてＳＮＭＰマネージャ５１のＧｅｔ動作設定、取得元のネットワーク映像録画装置３１の設定、取得するＭＩＢのＯＩＤの設定、取得したＭＩＢのＯＩＤの表示設定など、多岐にわたる設定が必要であること、ＳＮＭＰマネージャ５１のソフトウエアが有料であることが多いこと、ＳＮＭＰのネットワークプロトコルにＵＤＰ（Ｕｓｅｒ  Ｄａｔａｇｒａｍ  Ｐｒｏｔｏｃｏｌ）を使用するため、信頼性の点であまり信頼できないこと及びインターネットを経由した情報送受信ができないこと、が挙げられる。
【００１２】
図３には、従来技術に係るＳＭＴＰを使用したネットワーク映像録画装置６１の構成例及びユーザ端末装置６２の構成例とＳＭＴＰサーバ６３、ＰＯＰ３サーバ６４、インターネットなどの回線６５を示してある。
本例のネットワーク映像録画装置６１は、ＳＭＴＰを使用した情報通知機能を有しており、具体的には、イベント管理装置７１、送信データ作成装置７２、ＳＭＴＰクライアント７３、ＳＭＴＰ設定部７４を備えている。
本例のユーザ端末装置６２は、メールソフトを記憶するメールソフト部８１を備えている。
【００１３】
ネットワーク映像録画装置６１内において、電源の投入時やセンサー情報の更新時、スケジュール設定された映像録画機能の開始／停止、映像録画を行うストレージメディアの使用状況（残容量情報）の変化、映像配信装置とのネットワーク通信状況の変化などのイベントが発生すると、イベント管理装置７１は送信データ作成装置７２へその情報を通知する。
【００１４】
送信データ作成装置７２は、障害発生等のイベントの情報を受信すると、ＳＭＴＰ設定部７４から設定情報を取得して、ＳＭＴＰで送信するデータを作成する。この送信データには、障害発生等のイベントの情報のほかに、ネットワーク映像録画装置６１の個別情報を送信者情報として含む必要がある。
送信データ作成装置７２は、作成した送信データをＳＭＴＰクライアント７３へ通知する。
【００１５】
ＳＭＴＰクライアント７３は、送信データ作成装置７２から送信データを通知されると、ＳＭＴＰ設定部７４からＳＭＴＰサーバ情報、送信先情報を取得して、送信データを回線６５を介してＳＭＴＰサーバ６３へ送信する。送信されたデータは、ＳＭＴＰサーバ６３、ＰＯＰ３サーバ６４、回線６５を経由して、ユーザ端末装置６２のメールソフト部８１のメールソフトにより受信されて、その情報がユーザに表示される。
【００１６】
ＳＭＴＰを使用した情報通知では、インターネットを経由して遠隔地への通知を行うことができるというメリットがある。
但し、このようなＳＭＴＰのシステムでは、問題として、例えば、ネットワーク映像録画装置６１に、送信先情報、ＳＭＴＰサーバ情報や、障害発生等のイベント時の送信データ作成のための設定を個別に行う必要があること、ＳＭＴＰサーバ６３を使用するために使用料が発生すること、ユーザがＳＭＴＰサーバ６３を用意する場合には、このために、回線費、維持費が発生すること、ユーザ端末装置６２側での設定が正しく行われていないとネットワーク映像録画装置６１からのメールを正しく受信できずに通知が失敗する可能性があること、が挙げられる。
【先行技術文献】
【特許文献】
【００１７】
【特許文献１】特開２００５−３８１１４号公報
【発明の概要】
【発明が解決しようとする課題】
【００１８】
上述のように、従来技術に係るＳＮＭＰやＳＭＴＰのネットワーク映像録画装置のシステムでは、ユーザへの情報通知について、種々な問題があった。
本発明は、このような従来の事情に鑑み為されたもので、ユーザへの情報通知を効果的に行うことができる映像録画装置を提供することを目的とする。具体的には、例えば、上述したような従来技術に係るネットワーク映像録画装置におけるユーザへの情報通知における問題を解消することを目的とする。
【課題を解決するための手段】
【００１９】
上記目的を達成するため、本発明では、ネットワークに接続されて映像を記録する映像録画装置において、次のような構成とした。
すなわち、フィードデータ記憶手段が、外部のフィードリーダにより取得されることが可能なフィードのデータを記憶する。イベント検出手段が、発生した所定のイベントを検出する。フィード管理手段が、前記イベント検出手段により検出されたイベントに関する情報をフィードのデータとして前記フィードデータ記憶手段に記憶させる。
【００２０】
従って、発生した所定のイベントに関する情報がフィードのデータとして記憶されて、当該フィードのデータが外部のフィードリーダにより取得されることが可能であるため、ユーザ（例えば、フィードリーダを有する外部の装置）への情報通知を効果的に行うことができる。
【００２１】
ここで、映像録画装置や、ネットワークや、映像録画装置が適用されるシステムとしては、それぞれ、種々なものが用いられてもよい。一例として、ネットワークを用いて映像を監視する映像監視システムにおける映像録画装置に適用することができる。
また、外部のフィードリーダは、任意の装置に備えられてもよく、一例として、映像監視システムにおいて、発生したイベントに関する監視を行う通信装置（例えば、ユーザ端末装置）に備えることができる。
また、フィードリーダ記憶手段としては、例えば、メモリを用いて構成することができる。
【００２２】
また、所定のイベントとしては、種々なものが用いられてもよい。また、検出対象とするイベントの数としては、種々な数が用いられてもよい。例えば、映像録画装置には、所定のイベントが発生したときにそれを検出することができるように、それを検出するための情報が（例えば、予め）設定される。
また、フィードのデータとされるイベントに関する情報としては、種々なものが用いられてもよく、例えば、外部のフィードリーダを有する装置（それを操作する人など）に通知すべき情報が用いられる。例えば、映像録画装置には、各イベントに応じてフィードのデータを生成する方法（フィードのデータの生成の仕方）が（例えば、予め）設定される。
【発明の効果】
【００２３】
以上説明したように、本発明に係る映像録画装置によると、ユーザへの情報通知を効果的に行うことができる。
【図面の簡単な説明】
【００２４】
【図１】本発明の一実施例に係るネットワーク映像録画装置の構成例及びユーザ端末装置の構成例、回線を示す図である。
【図２】従来技術に係るＳＮＭＰを使用したネットワーク映像録画装置の構成例及びユーザ端末装置の構成例を示す図である。
【図３】従来技術に係るＳＭＴＰを使用したネットワーク映像録画装置の構成例及びユーザ端末装置の構成例とＳＭＴＰサーバ、ＰＯＰ３サーバ、回線を示す図である。
【発明を実施するための形態】
【００２５】
本発明に係る実施例を図面を参照して説明する。
本実施例では、所定の場所などの監視を行うために映像を撮像する撮像装置（例えば、カメラ）や、撮像装置により撮像された映像をエンコードするエンコーダ（例えば、ＷＥＢエンコーダ）や、エンコーダによりエンコードされた映像をデコードするデコーダや、撮像装置により撮像された映像或いはエンコーダによりエンコードされた映像或いはデコーダによりデコードされた映像をメモリに記録（記憶）する映像録画装置や、これらを通信可能に接続する回線（ネットワーク）、を有する映像監視システムにおける映像録画装置（ネットワーク映像録画装置）に適用した場合を示す。また、本実施例に係る映像監視システムでは、ユーザ端末装置により、映像録画装置における状況（例えば、発生した所定のイベントの状況など）を監視する。
【００２６】
図１には、本発明の一実施例に係るネットワーク映像録画装置１の構成例及びユーザ端末装置２の構成例、インターネットなどの回線（ネットワーク）３を示してある。
本例のネットワーク映像録画装置１は、イベントを管理するイベント管理装置１１、フィードを管理するフィード管理装置１２、フィードデータをメモリに記憶するフィードデータ部１３を備えている。
本例のユーザ端末装置２は、フィードリーダ２１、フィードリーダ２１に関する情報をメモリなどに設定するフィードリーダ設定部２２、フィードリーダ２１に関する表示を画面に行うフィードリーダ表示部２３を備えている。
【００２７】
本例では、ネットワークに接続されたネットワーク映像録画装置１は、ネットワーク通信により、電源の投入時やセンサー情報の更新時、スケジュール設定された映像録画機能の開始／停止、映像録画を行うストレージメディアの使用状況（例えば、残容量情報など）の変化、映像配信装置（図示せず）とのネットワーク通信状況の変化、などのイベントが発生した場合に、ユーザ（本例では、ユーザ端末装置２）にその情報を通知する機能を有する。
【００２８】
図１に示されるシステムにおいて行われる動作の一例を示す。
ネットワーク映像録画装置１内において、電源の投入時やセンサー情報の更新時、スケジュール設定された映像録画機能の開始／停止、映像録画を行うストレージメディアの使用状況（例えば、残容量情報など）の変化、映像配信装置（図示せず）とのネットワーク通信状況の変化などのイベントが発生すると、イベント管理装置１１は、フィード管理装置１２へその情報を通知する。ここで、イベント管理装置１１では、例えば、管理対象とするイベントに関する情報が設定されており、この情報に基づいてイベントの発生を検出する。
【００２９】
フィード管理装置１２は、イベント管理装置１１からの情報を受信すると、フィードデータ部１３へその情報を追加して更新する。
フィードデータ部１３は、フィードのデータとして、例えば、フィード管理装置１２により書き込まれる、発生したイベントに関するデータを記憶する。
【００３０】
ユーザ端末装置２内において、フィードリーダ２１は、フィードリーダ設定部２２に定義（設定）されるフィードデータの取得先（本例では、ネットワーク映像録画装置１のフィードデータ部１３）へ、定期的に、回線３を介して情報取得のためのアクセスを行い、これにより取得したフィードデータの内容をフィードリーダ表示部２３により表示させる。
【００３１】
ここで、例えば、フィードデータにＲＳＳ（ＲＳＳ  １．０）やＡｔｏｍ（Ａｔｏｍ配信フォーマット）といった一般的なフォーマットを使用すると、ユーザ端末装置２では、専用の端末やシステムやソフトウエアを使用せずとも、一般的なＷｅｂブラウザ（例えば、Ｍｏｚｉｌｌａ  Ｆｉｒｅｆｏｘ／Ｉｎｔｅｒｎｅｔ  Ｅｘｐｌｏｒｅｒ  ７．０／Ｏｐｅｒａ／Ｓａｆａｒｉなど）を使用して、情報の取得や表示、又はそれを使用したネットワーク映像監視装置１へのアクセスやネットワーク映像録画装置１への操作などを行うことが可能である。
【００３２】
この場合、設定方法としては、一度ネットワーク映像録画装置１に対してＷｅｂブラウザへアクセスを行い、そこに表示されるフィードアイコンをマウスでクリックすることでフィードの購読が設定されるため、例えば、専用のソフトウエアをセットアップする手間や煩雑な情報取得のための設定などの必要が無い。また、フィードデータの取得は、ＨＴＴＰ（ＨｙｐｅｒＴｅｘｔ  Ｔｒａｎｓｆｅｒ  Ｐｒｏｔｏｃｏｌ）を基本とする通信プロトコルにより行われるため、インターネットを経由した遠隔地での監視や異なるサブネットでの監視も可能である。また、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）通信による通信の信頼性も期待でき、ネットワーク状況による情報取得の失敗などの問題も発生しにくい。
【００３３】
以上のように、本例では、ネットワークに接続されたネットワーク映像録画装置１において、イベントの情報があった場合には自己のフィード（フィードデータ部１３）を更新することにより、その情報をフィードリーダ２１に通知することが可能である。このように、本例では、例えば、従来技術に係るＳＮＭＰやＳＭＴＰを使用したネットワーク通信に代わって、ＲＳＳやＡｔｏｍ等のフィードを、ネットワーク映像録画装置１における障害等のイベントの発生に関するユーザ通知に用いている。
【００３４】
従って、本例のネットワーク映像録画装置１では、例えば、特別な専用の装置やシステムやソフトウエアなどを構築や使用することなく、機器側での設定の煩雑さもなく、機器側からのネットワーク通信によりユーザへ障害等のイベントの情報の通知を行うことが可能である。
【００３５】
なお、本例の映像録画装置１では、フィードデータ部１３の機能により外部のフィードリーダ２１により取得されることが可能なフィードのデータを記憶するフィードデータ記憶手段が構成されており、イベント管理装置１１の機能により発生した所定のイベントを検出するイベント検出手段が構成されており、フィード管理装置１２の機能によりイベント検出手段により検出されたイベントに関する情報をフィードのデータとしてフィードデータ記憶手段に記憶させるフィード管理手段が構成されている。
【００３６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３７】
１、３１、６１・・ネットワーク映像録画装置、  ２、３２、６２・・ユーザ端末装置、  ３、６５・・回線、  １１、４１、７１・・イベント管理装置、  １２・・フィード管理装置、  １３・・フィードデータ部、  ２１・・フィードリーダ、  ２２・・フィードリーダ設定部、  ２３・・フィードリーダ表示部、  ４２・・ＭＩＢ、  ４３・・ＳＮＭＰエージェント、  ４４・・ＳＮＭＰエージェント設定部、  ５１・・ＳＮＭＰマネージャ、  ５２・・ＳＮＭＰマネージャ設定部、  ６３・・ＳＭＴＰサーバ、  ６４・・ＰＯＰ３サーバ、  ７２・・送信データ作成装置、  ７３・・ＳＭＴＰクライアント、  ７４・・ＳＭＴＰ設定部、  ８１・・メールソフト部、
【図１】
2011061658.tif 000003
【図２】
2011061658.tif 000004
【図３】
2011061658.tif 000005